(57)【要約】      （修正有）【課題】中栓の位置合わせが容易で、簡易な構造で栓本体に中栓を取り付けることができる飲料用容器の栓体を提供する。【解決手段】飲料用容器の栓体は、飲料用容器本体の口部に着脱自在に取り付けられ、上部開口が形成された栓本体１０と、栓本体に開閉自在に設けられる蓋体２０と、上端部に飲み口を有し、飲み口に通液する通液孔３１が形成され、栓本体の上部開口に下方から着脱自在に取り付けられる中栓３０とを備え、中栓は、中栓の側部から外向きに突出する第一凸部３７ａと第一凸部が突出する方向に対して反対方向に突出する第二凸部３７ｂと側部に突設された突起３８ａ、３８ｂとを有し、栓本体は、上部開口の周囲において、中栓の第一凸部が通るように上下方向に延びる第一スリット１７ａと第二凸部が通るように上下方向に延びる第二スリット１７ｂとが形成され、中栓の突起と係合して中栓を栓本体に固定する係止爪を有する中栓受けを備える。【選択図】図８
0003222647.tif 000002
【実用新案登録請求の範囲】
【請求項１】
飲料用容器本体の口部に着脱自在に取り付けられ、上部開口が形成された栓本体と、
該栓本体に開閉自在に設けられる蓋体と、
上端部に飲み口を有し、該飲み口に通液する通液孔が形成されていて、前記栓本体の前記上部開口に下方から着脱自在に取り付けられる中栓と、を備え、
前記中栓は、該中栓の側部から外向きに突出する第一凸部と前記第一凸部が突出する方向に対して反対方向に突出する第二凸部と、前記側部に突設された突起とを有し、
前記栓本体は、前記上部開口の周囲において、前記中栓の前記第一凸部が通るように上下方向に延びる第一スリットと、前記第二凸部が通るように上下方向に延びる第二スリットとが形成され、前記中栓の前記突起と係合して前記中栓を前記栓本体に固定する係止爪を有する中栓受けを備える、ことを特徴とする飲料用容器の栓体。
【請求項２】
前記第一凸部は、前記飲み口が位置する側を前側とした場合、前記中栓の前側側部に設けられ、前記第二凸部は前記中栓の後側側部に設けられることを特徴とする請求項１に記載の飲料用容器の栓体。
【請求項３】
前記中栓の前記突起は、互いに反対の位置に設けられる第一突起及び第二突起から構成され、
前記中栓受けの前記係止爪は、前記第一突起と係合する第一係止爪と、前記第二突起と係合する第二係止爪とから構成されることを特徴とする請求項１又は２に記載の飲料用容器の栓体。
【請求項４】
前記中栓の前記第一突起は、前記飲み口が位置する側を前側とした場合、前記中栓の右側側部又は左側側部に設けられ、前記第二突起は、前記第一突起が設けられた側部の反対側の側部に設けられることを特徴とする請求項３に記載の飲料用容器の栓体。
【請求項５】
前記蓋体を前記栓本体に対して閉状態で固定するロック機構を備え、
前記ロック機構は、前記蓋体の閉状態を解除するための押込部を有し、該押込部は周囲より出っ張った状態で取り付けられていることを特徴とする請求項１から４のいずれか一項に記載の飲料用容器の栓体。
【請求項６】
前記蓋体は前記栓本体とヒンジ構造を介して回動可能に取り付けられていて、前記ヒンジ構造の回転軸を差し込む差込部に座繰りが設けられていることを特徴とする請求項１から５のいずれか一項に記載の飲料用容器の栓体。
【請求項７】
前記蓋体の角部にアールが形成されていることを特徴とする請求項１から６のいずれか一項に記載の飲料用容器の栓体。
【考案の詳細な説明】
【技術分野】
【０００１】
本考案は、飲料用容器の栓体に関する。
【背景技術】
【０００２】
従来から、水筒などの飲料用容器には、飲料用容器本体の口部を閉塞するための開閉可能な蓋体を有する栓体が取り付けられている。この栓体は、飲料用容器本体の口部を閉塞するために取り付けられるもので、栓本体と、栓本体に開閉自在に設けられる蓋体と、容器本体の上部開口に取り付けられ、飲料用容器本体の内部を密封する中栓とから形成されている。そして栓本体に対して中栓が着脱分離可能に設けられ、栓本体から中栓を取り外すことで中栓を洗浄・手入れを行えるようにしたものが実施されている。
【０００３】
例えば、特許文献１には、内栓部（中栓）が外栓部に確実に取り付けられる飲料用容器の栓体に関する技術が開示されている。
【先行技術文献】
【特許文献】
【０００４】
【特許文献１】特開２０１２−２０６７４１号公報
【考案の概要】
【考案が解決しようとする課題】
【０００５】
しかしながら、従来の栓体は、栓本体に中栓を取り付ける構造が複雑であり、中栓の着脱に手間がかかると共に、中栓の位置合わせも容易ではなかった。
【０００６】
そこで、本考案の目的は、中栓の位置合わせが容易で簡易な構造で栓本体に中栓を取り付けることができる飲料用容器の栓体を提供することにある。
【課題を解決するための手段】
【０００７】
前記課題は、本考案の飲料用容器の栓体によれば、飲料用容器本体の口部に着脱自在に取り付けられ、上部開口が形成された栓本体と、該栓本体に開閉自在に設けられる蓋体と、上端部に飲み口を有し、該飲み口に通液する通液孔が形成されていて、前記栓本体の前記上部開口に下方から着脱自在に取り付けられる中栓と、を備え、前記中栓は、該中栓の側部から外向きに突出する第一凸部と前記第一凸部が突出する方向に対して反対方向に突出する第二凸部と、前記側部に突設された突起とを有し、前記栓本体は、前記上部開口の周囲において、前記中栓の前記第一凸部が通るように上下方向に延びる第一スリットと、前記第二凸部が通るように上下方向に延びる第二スリットとが形成され、前記中栓の前記突起と係合して前記中栓を前記栓本体に固定する係止爪を有する中栓受けを備えることにより解決される。
【０００８】
中栓の側部に設けられた第一凸部と第二凸部を、栓本体の中栓受けに形成された第一スリット及び第二スリットに通すことで、中栓の位置合わせを容易に行うことができる。また、中栓の突起を中栓受けに設けられた係止爪に係合させることにより中栓を栓本体に固定することができ簡易な構造で中栓を栓本体に取り付けることができる。
【０００９】
また、上記の構成において、前記第一凸部は、前記飲み口が位置する側を前側とした場合、前記中栓の前側側部に設けられ、前記第二凸部は前記中栓の後側側部に設けられることが好ましい。
第一凸部を前側に、第二凸部を後側に設けることで、第一凸部と第二凸部の位置を容易に確認することができ、中栓の位置合わせが容易になる。
【００１０】
また、上記の構成において、前記中栓の前記突起は、互いに反対の位置に設けられる第一突起及び第二突起から構成され、前記中栓受けの前記係止爪は、前記第一突起と係合する第一係止爪と、前記第二突起と係合する第二係止爪とから構成されるとよい。
二つの突起部と係止爪を用いることで、中栓を栓本体により強固に固定することができる。
【００１１】
また、上記の構成において、前記中栓の前記第一突起は、前記飲み口が位置する側を前側とした場合、前記中栓の右側側部又は左側側部に設けられ、前記第二突起は、前記第一突起が設けられた側部の反対側の側部に設けられることが好ましい。
第一突起と第二突起とを中栓の右側側部及び左側側部に設けることで、第一突起と第二突起との位置を容易に確認することができ、中栓の取り付けが簡便になる。
【００１２】
また、上記の構成において、前記蓋体を前記栓本体に対して閉状態で固定するロック機構を備え、前記ロック機構は、前記蓋体の閉状態を解除するための押込部を有し、該押込部は周囲より出っ張った状態で取り付けられていることが望ましい。
押込部が周囲より出っ張っていることにより、押込部を押しやすくなり蓋体のロック解除を容易に行うことができる。
【００１３】
また、上記の構成において、前記蓋体は前記栓本体とヒンジ構造を介して回動可能に取り付けられていて、前記ヒンジ構造の回転軸を差し込む差込部に座繰りが設けられているとよい。
座繰りを形成することにより、例えば回転軸であるピンがずれた場合であっても、ピンの先端に直接接触することを防止することができる。
【００１４】
また、上記の構成において、前記蓋体の角部にアールが形成されているとよい。角部にアールが形成されることで、飲料用容器が落下した場合でも栓体の破損を抑止することができる。
【考案の効果】
【００１５】
本考案の飲料容器の栓体によれば、中栓の側部に設けられた第一凸部と第二凸部を、栓本体の中栓受けに形成された第一スリット及び第二スリットに通すことで、中栓の位置合わせを容易に行うことができる。
【図面の簡単な説明】
【００１６】
【図１】栓体を有する飲料用容器を示す側面図である。
【図２】蓋体を開けた状態の飲料用容器を示す斜視図である。
【図３】栓体と飲料用容器本体の部分断面図である。
【図４】分解した状態の栓体を示す分解図である。
【図５】分解した状態の栓体を示す断面図である
【図６】中栓の斜視図である。
【図７】後方からみた中栓の背面図である。
【図８】蓋体を開けた状態の栓体を示す平面図である。
【考案を実施するための形態】
【００１７】
以下、本考案の一実施形態（本実施形態）について図面を参照しながら説明する。本実施形態は、飲み口を備えた中栓を栓本体の中央に設けた中栓受けに着脱可能に取り付けられるよう構成された栓体とそれを備えた飲料用容器である。
なお、以下に説明する実施形態は、本発明の理解を容易にするための一例に過ぎず、本考案を限定するものではない。すなわち、以下に説明する部材の形状、寸法、配置等については、本発明の趣旨を逸脱することなく、変更、改良され得るとともに、本考案にはその等価物が含まれることは勿論である。また、以下の実施形態において同一又は類似の構成要素には共通の参照符号を付して示し、理解を容易にするために、これら図面は縮尺を適宜変更している。以下、より詳しく説明する。
【００１８】
飲料用容器１は、図１に示すように、飲料用容器本体５と、飲料用容器本体５に着脱自在に取り付けられる栓体２とを備えている。飲料用容器１は、真空断熱構造を有する飲料用容器本体５によって、飲料用容器本体５に収容された飲物等を保温又は保冷することが可能である。
【００１９】
本実施形態は、飲料用容器本体５の開口部５１に取り付けられる栓体２である。飲料用容器本体５は、開口部５１が形成された有底円筒体であり、上部外周側には取付部としての螺条５２が形成されている（図３参照）。そして、開口部５１から所定距離離れた位置の内周側に、円周から内側に張出した止水部５３が形成されている。この止水部５３は、栓体２を構成する後述する中栓３０の止水パッキン３５の径より若干小さく形成され、中栓３０の止水パッキン３５が当接することにより止水できるよう構成されている。
【００２０】
飲料用容器本体５は、例えばステンレス等から形成された外側容器５４と内側容器５５とを有し、外側容器５４の内側に内側容器５５を収容した状態で互い開口部を接合した二重構造により構成されている。外側容器５４と内側容器５５との間には真空断熱層が設けられている。
【００２１】
栓体２の構成について説明する。なお、以下の説明では、図１に記載の矢印で示すように、後述する栓本体１０に蓋体２０がヒンジ部１１を介して取り付けられている側を飲料用容器１の「後側」とし、それの反対側を飲料用容器１の「前側」とする。また、幅方向は、前後方向に対して直角に交わる左右方向を意味する。高さ方向とは、飲料用容器１を立てた状態の高さ方向、すなわち、飲料用容器１を前側から見たときの上下方向を意味する。
【００２２】
栓体２は、図１〜図５に示すように、飲料用容器本体５の開口部５１を閉塞する栓体を構成するものである。栓体２は、栓本体１０と、栓本体１０にヒンジ部１１を介して回動自在に取り付けられた蓋体２０と、蓋体２０の中央に形成された開口部１５に取り付けられる中栓３０と、を備えている。
【００２３】
栓本体１０は樹脂製であり、例えばポリプロピレン等の耐熱性樹脂から形成される。栓本体１０は、飲料用容器本体５の外周面５０ａと連続するように略円筒状に形成された外周部１２と、外周部１２の上部に外周部１２よりも縮径された開口部１５が形成された上壁部１３とを有する。
【００２４】
栓本体１０は、飲料用容器本体５の開口部５１に螺合により着脱自在に取り付けられる。このため、栓本体１０の外周部１２の内側には、飲料用容器本体５の取付部としての螺条５２に螺合して着脱自在に取り付けられる取付部としての螺条１４が形成されている。
つまり、栓本体１０は、有底円筒体をした飲料用容器本体５の上部外周側に形成された取付部である螺条５２と、栓本体１０を構成する外周部１２の内側に形成された取付部である螺条１４とが螺合し、それにより飲料用容器本体５の上部で開口部５１を覆って栓本体１０が取付可能になっている。この螺条１４，５２は一条螺条、二条螺条などを用いることができる。
【００２５】
栓本体１０の開口部１５には、図２、図５−６に示すように、飲み口又は注ぎ口を形成する中栓３０が着脱自在に取り付けられている。中栓３０は樹脂製であり、例えばポリプロピレン等の耐熱性樹脂から形成される。
【００２６】
中栓３０は、通液孔３１が形成された底壁部３２と、底壁部３２の周囲から上方に向かって立ち上がる筒状の周壁部３３と、底壁部３２の下側端からリング状に設けられた下側フランジ３４と、底壁部３２の上側端からリング状に設けられた上側フランジ３６と、下側フランジ３４から上方に所定距離離れてリング状に設けられた中間フランジ３９とを有する。また、周壁部３３は前側の上端から斜め下方に切断されていて飲み口を形成している。
【００２７】
栓本体１０と中栓３０との間には、栓本体１０の開口部１５に中栓３０を着脱自在に取り付けるための、中栓受け１６が設けられている。中栓受け１６は、図５に示すように、中栓３０の前側に第一スリット１７ａ、後側に第二スリット１７ｂが形成されている。また、中栓受け１６には、中栓３０の左側及び右側に設けられた第一係止爪１８ａ，第二係止爪１８ｂが設けられている。第一係止爪１８ａ，第二係止爪１８ｂのそれぞれの両端には、下方端部から延びる切欠１９が形成されていて、中栓３０が中栓受け１６の開口部１５に挿入されとき、第一係止爪１８ａ，第二係止爪１８ｂが弾性変形して、中栓３０の第一突起３８ａ及び第二突起３８ｂとの係合が容易になっている。
【００２８】
中栓３０は、周壁部３３において前方に突出する第一凸部３７ａと、第一凸部３７ａが突出する方向とは反対の方向に向かって周壁部３３から突出する第二凸部３７ｂとが設けられていて、栓本体１０に中栓受け１６に形成された第一スリット１７ａ及び第二スリット１７ｂに挿入可能に形成されている。また、中栓３０は上側フランジ部の上方において、周壁部３３の右側側部に第一突起３８ａが、左側側部に第二突起３８ｂが設けられている。
【００２９】
中栓３０を栓本体１０に取り付けるとき、中栓３０に設けられた第一凸部３７ａを栓本体１０の第一スリット１７ａに、第二凸部３７ｂを第二スリット１７ｂに位置を合わせることで、中栓３０の栓本体１０に対する位置決めを容易に行うことができる。また、第一凸部３７ａを第一スリット１７ａに、第二凸部３７ｂを第二スリット１７ｂに沿ってスライドさせ、第一突起３８ａ及び第二突起３８ｂを、中栓受け１６の第一係止爪１８ａ、第二係止爪１８ｂに係合させることで、中栓受け１６に中栓３０を固定することができる。
【００３０】
このような構造により、中栓３０の栓本体１０に対する位置決めと固定を容易に行うことができるようになる。従来は中栓を固定するため中栓と栓本体との間にパッキンを挿入している場合がった。中栓３０は、第一凸部３７ａが第一スリット１７ａに挿入され、第二凸部３７ｂが第二スリット１７ｂに挿入されることで、栓本体１０に対して回転することなく位置決めされるため、栓本体１０と中栓３０との間にパッキンを設ける必要がなくなる。
【００３１】
また、中栓受け１６の第一係止爪１８ａ及び第二係止爪１８ｂを広げ、第一突起３８ａ及び第二突起３８ｂとの係合状態を解除することで、中栓受け１６から中栓３０を簡単に取り外すことができる。
【００３２】
中栓３０の下側フランジ部には、図３に示すように、止水パッキン３５が着脱自在に取り付けられている。止水パッキン３５は、飲料用容器本体５の止水部５３と、栓本体１０の中栓３０との間を密閉するためのリング状のシール部材である。止水パッキン３５は、耐熱性を有するシリコーンゴム又はエラストマーからなる弾性部材からなり、止水パッキン３５は、下側フランジ３４の外周部に嵌め付けられる。
【００３３】
止水パッキン３５は、弾性変形しつつ、飲料用容器本体５の止水部５３と全周に亘って密着するため、止水部５３と中栓３０との間を密閉することができる。
このように中栓３０の下方には止水パッキン３５が着脱可能に取り付けられており、栓体２に飲料用容器本体５に取り付けたときに、中栓３０の止水パッキン３５が、飲料用容器本体５に形成された張出部としての止水部５３と当接して、内容物が漏れないように構成されている。なお、止水パッキン３５はシリコーンゴム又はエラストマーからなる弾性体に限定されず、他の公知の材料を用いることができる。
【００３４】
蓋体２０は、図２−図５に示すように、中栓３０の飲み口（通液孔３１）を開閉するものである。蓋体２０は、栓本体１０の外周部１２と連続するように円筒状に形成された外周部２２と、外周部２２の天面を覆う天壁部２３と、天壁部２３の下面から下がる略円筒状の内壁部２４とを有する。蓋体２０は樹脂製であり、例えばポリプロピレン等の耐熱性樹脂から形成される。
【００３５】
蓋体２０は、ヒンジ部１１の内部に設けられたトーションバネ２９（図８参照）によって、中栓３０の通液孔３１を開放する方向に向かって付勢されている。また、蓋体２０の内側には、中栓３０の通液孔３１を閉塞する蓋パッキン２８が設けられている。蓋パッキン２８は、中栓３０を密閉するための栓状のシール部材であり、止水パッキン３５と同様にシリコーンゴムやエラストマー等の弾性部材からなる。
【００３６】
蓋パッキン２８は、図４及び図５に示すように、蓋体２０の内壁部に着脱自在に取り付けられる有底円筒状の部材である。蓋パッキン２８の内部２８ａに内壁部２４がはめ込まれた状態で取り付けられる。蓋パッキン２８の底面はドーム状に形成され、蓋体２０を閉じたとき、蓋パッキン２８の底部は、弾性変形しつつ通液孔３１の周囲に密着する。それにより、中栓３０の通液孔３１を閉塞することができる。
【００３７】
栓体２は、蓋体２０が通液孔３１を閉塞した状態で、蓋体２０をトーションバネ２９の付勢に抗して栓本体１０を固定するロック機構４０を備えている。
【００３８】
ロック機構４０は、図１−４に示すように、栓本体１０の前側においてヒンジ部４１を介して回動自在に取り付けられたロック部材４２を備える。ロック部材４２は、栓本体の前側に設けられたヒンジ部４１により前後方向に回動自在に支持されていて、ロック部材４２と栓本体１０との間に設けられたコイルバネ（図示しない）により前側に付勢されている。ロック部材４２の上端部には、前側に向かって突出するフック部４３と、後側に向かって突出するストッパ４４が設けられている。
【００３９】
ロック部材４２のフック部４３は、蓋体２０の前側の下端部に設けられたロック受部２５に係止することにより、蓋体２０が、栓本体１０を閉塞した状態が保持される。ロック部材４２は、上述のようにコイルバネによって前側に付勢されていて、ユーザは、この状態から、ロック部材４２を後方に向かって押し込むことでロック部材４２を回動させ、ロック状態を解除する。ロック状態を解除すると、蓋体２０は、ヒンジ部１１に設けられたトーションバネ２９により開方向に回動して蓋体２０が開かれるようになる。なお、ストッパ４４は、ユーザがロック部材４２を押し込んだときに、栓本体１０の上面と当接してロック部材４２が回動を止めるよう設けられている。
【００４０】
また、ロック機構４０のロック部材４２の押込部４５は、蓋体２０のロック受部２５よりも前側に突出しており、それにより押込部４５は押しやすくなっている。
【００４１】
また、ヒンジ部１１において、ヒンジを形成するピン１１ａを差し込む位置に座繰り１１ｂが形成されていて、ピン１１ａが左右方向にずれた場合でもヒンジ部１１の外側にピン１１ａの先端が飛び出すことが抑制される。
また、蓋体２０の角部にはアールが設けてあり、それにより、飲料用容器１を落下させた場合であっても破損することが抑制される。
また、飲料用容器本体５の開口部は、本実施形態のような開閉型の栓体だけでなく、スクリュー型の栓体と兼用できるよう形成されている。
【００４２】
なお、本実施形態の飲料用容器１は、全体として略円筒状の外観形状を有している。これは一例であり、飲料用容器１の外観形状については、特に限定されるものではなく、大きさやデザイン等に合わせて適宜変更されてよい。また、飲料用容器の外周面には塗装又は印刷が施されていてもよい。
【符号の説明】
【００４３】
１      飲料用容器
２      栓体
５      飲料用容器本体
１０    栓本体
１１    ヒンジ部
１２    外周部
１３    上壁部
１４    螺条
１５    開口部（上部開口）
１６    中栓受け
１７ａ  第一スリット
１７ｂ  第二スリット
１８ａ  第一係止爪
１８ｂ  第二係止爪
１９    切欠
２０    蓋体
２２    外周部
２３    天壁部
２４    内壁部
２５    ロック受部
２８    蓋パッキン（シール部材）
２９    トーションバネ
３０    中栓
３１    通液孔
３２    底壁部
３３    周壁部
３４    下側フランジ
３５    止水パッキン
３６    上側フランジ
３７ａ  第一凸部
３７ｂ  第二凸部
３８ａ  第一突起
３８ｂ  第二突起
３９    中間フランジ
４０    ロック機構
４１    ヒンジ部
４２    ロック部材
４３    フック部
４４    ストッパ
４５    押込部
５１    開口部
５２    螺条
５３    止水部
５４    外側容器
５５    内側容器
【図１】
0003222647.tif 000003
【図２】
0003222647.tif 000004
【図３】
0003222647.tif 000005
【図４】
0003222647.tif 000006
【図５】
0003222647.tif 000007
【図６】
0003222647.tif 000008
【図７】
0003222647.tif 000009
【図８】
0003222647.tif 000010